(57)【特許請求の範囲】
【請求項１】
蓋を形成する第１の筐体と基台を形成する第２の筐体とが、互いの一端で折り畳み可能に連結され、折り畳んだ状態で互いの他端が一致する携帯電話機において、
前記第２の筐体の他端にその内面に向けて開放する開口が形成され、この開口内に前記第２の筐体の他端から突出入可能に収納された可動筐体を備え、
前記第１の筐体の内面及び前記第２の筐体の背面に第１の受話部及び第２の受話部がそれぞれ設けられ、前記可動筐体の内面に送話部が設けられており、
前記第１、第２の筐体を開いた状態の通話では、前記可動筐体が収納されたまま前記送話部と前記第１の受話部とが働き、前記第１、第２の筐体を折り畳んだ状態の通話では、前記可動筐体が突出して前記送話部と前記第２の受話部とが働くことを特徴とする携帯電話機。
【請求項２】
前記第１の筐体の側面又は背面、或いは前記第２の筐体の側面にオフフックキー及びオンフックキーが設けられていて、このオフフックキー及びオンフックキーの操作により前記送話部と前記第２の受話部とによる通話が開始／終了することを特徴とする請求項１に記載の携帯電話機。
【請求項３】
前記第１の筐体の側面又は背面、或いは前記第２の筐体の側面にアップ／ダウンキーが設けられていて、このアップ／ダウンキーの操作により前記第２の受話部の音量が調節されることを特徴とする請求項２に記載の携帯電話機。
【請求項４】
前記第１の筐体の背面に第１の表示部が設けられていて、この第１の表示部には着信時に着信情報が表示されることを特徴とする請求項２又は３に記載の携帯電話機。
【請求項５】
前記第１の筐体の背面に第１の表示部が設けられていて、この第１の表示部には発信時に前記アップ／ダウンキーの操作により選択される発信情報が表示されることを特徴とする請求項３に記載の携帯電話機。
【請求項６】
前記第１の筐体の内面に第２の表示部が設けられ、前記第１の筐体の背面に光学系及び撮像素子からなるカメラ部が設けられていて、このカメラ部により撮影された画像が前記第２の表示部に表示されることを特徴とする請求項１から５のいずれかに記載の携帯電話機。
【請求項７】
前記可動筐体にラックが設けられ、前記第２の筐体に前記ラックと噛合するピニオンギヤを有する駆動モータが設けられていて、前記可動筐体は前記駆動モータの駆動により突出入することを特徴とする請求項１から６のいずれかに記載の携帯電話機。
【発明の詳細な説明】
【０００１】
【発明の属する技術分野】
本発明は、音声や画像等の通信情報を無線送受信する折り畳み式の携帯電話機に関し、特に、本体を折り畳んだ状態でも通話が可能な携帯電話機に関する。
【０００２】
【従来の技術】
従来の折り畳み式の携帯電話機は、一般に、蓋を形成する第１の筐体と基台を形成する第２の筐体とが、互いの一端でヒンジ部を介して折り畳み可能に連結されて本体が形成されており、第１の筐体の内面には、受信した音声を発する主受話部（以下、「第１の受話部」と記すことがある）、電子メールや画像といった情報を表示する主ディスプレイ（以下、「第２の表示部」と記すことがある）等が設けられ、第２の筐体の内面には、ユーザからの音声を受け取る送話部、複数の入力キーからなる操作部等が設けられている。この携帯電話機によれば、ユーザは、携帯時には本体を折り畳んで第２の表示部や操作部を保護しつつコンパクトに持ち運ぶことができ、他方通話時には本体を開いて第１の受話部や送話部を表出させ通話することができる。
【０００３】
ところが、このように従来の携帯電話機による通話は本体を開いた状態にして行われるが、折り畳んだ状態で通話ができれば好都合の場合がある。例えば、ユーザが携帯電話機を机上等に置いてハンドフリーで通話する場合であるが、その際、本体を開いて放置すると重心の関係でその姿勢は不安定であり、しかも本体を一旦開くという動作はユーザに煩わしさを与えかねない。従って、放置姿勢の安定化や操作の容易化という観点から、本体を折り畳んだ状態のままで通話を行うという要望は極めて強いといえる。
【０００４】
この要望に対して、例えば、特開２００１−２１１２４１号公報では、本体を折り畳んだ状態で送話部が一部外部に表出するよう第２の筐体の他端部に配設され、その上で、第１の筐体の背面に第１の受話部とは別個に補助受話部（以下、「第２の受話部」と記すことがある）が設けられており、本体を折り畳んだ状態では、その送話部と第２の受話部とにより通話が行われるようになっている。従って、この公報による携帯電話機は上記の要望に一応は応え得るといえる。
【０００５】
【発明が解決しようとする課題】
しかし、上記した公報による携帯電話機では、本体を折り畳んだ状態で送話部が一部外部に表出するよう第２の筐体の他端部に配設されるため、その送話部の配設スペースを確保すべく、第２の筐体の他端は第１の筐体の他端よりも突出せざるを得ない。つまり、第２の筐体が拡張されることになって、折り畳み式の携帯電話機の特長であるコンパクト性が損なわれるし、また携帯電話機全体としての形状も制約されて、外形デザインの自由度が小さくなるという問題が生じる。
【０００６】
そこで、本発明は、上記の問題に鑑みてなされたものであり、コンパクト性や外形デザインの自由度が損なわれることなく、本体を折り畳んだ状態でも通話が可能な携帯電話機を提供することを目的とするものである。
【０００７】
【課題を解決するための手段】
上記目的を達成するため、本発明による携帯電話機は、蓋を形成する第１の筐体と基台を形成する第２の筐体とが、互いの一端で折り畳み可能に連結され、折り畳んだ状態で互いの他端が一致する携帯電話機において、前記第２の筐体の他端にその内面に向けて開放する開口が形成され、この開口内に前記第２の筐体の他端から突出入可能に収納された可動筐体を備え、前記第１の筐体の内面及び前記第２の筐体の背面に第１の受話部及び第２の受話部がそれぞれ設けられ、前記可動筐体の内面に送話部が設けられており、前記第１、第２の筐体を開いた状態の通話では、前記可動筐体が収納されたまま前記送話部と前記第１の受話部とが働き、前記第１、第２の筐体を折り畳んだ状態の通話では、前記可動筐体が突出して前記送話部と前記第２の受話部とが働くようになっている。これにより、第１、第２の筐体を折り畳んだまま第２の筐体の背面が机上等に接するように放置し、ユーザからの音声が送話部で受け取られるとともに、受信した音声が第２の受話部から発せられて机上等で反響することによって、ハンドフリーで通話が行える。
【０００８】
ここで、第１、第２の筐体を折り畳んだまま通話の開始や終了が行えれば便利であるので、前記第１の筐体の側面又は背面、或いは前記第２の筐体の側面にオフフックキー及びオンフックキーが設けられていて、このオフフックキー及びオンフックキーの操作により前記送話部と前記第２の受話部とによる通話が開始／終了するようになっていることが好ましい。
【０００９】
更に、第１、第２の筐体を折り畳んだまま第２の受話部から発せられる音量が調節できれば、携帯電話機周囲からの雑音の度合いに応じて容易に対処できるので、前記第１の筐体の側面又は背面、或いは前記第２の筐体の側面にアップ／ダウンキーが設けられていて、このアップ／ダウンキーの操作により前記第２の受話部の音量が調節されるようになっていることが好ましい。
【００１０】
更に、第１、第２の筐体を折り畳んだまま着信時に相手先を特定できれば好都合なので、前記第１の筐体の背面に第１の表示部が設けられていて、この第１の表示部には着信時に着信情報が表示されるようになっていることが好ましい。
【００１１】
また、第１、第２の筐体を折り畳んだまま発信時に相手先を検索して特定できれば確実な発信が行えるので、前記第１の筐体の背面に第１の表示部が設けられていて、この第１の表示部には発信時に前記アップ／ダウンキーの操作により選択される発信情報が表示されるようになっていることが好ましい。
【００１２】
また、携帯電話機に撮影機能が付与されていれば、ユーザが撮影した画像をそのまま通信情報として活用できるので、前記第１の筐体の内面に第２の表示部が設けられ、前記第１の筐体の背面に光学系及び撮像素子からなるカメラ部が設けられていて、このカメラ部により撮影された画像が前記第２の表示部に表示されるようになっているとよい。
【００１３】
また、可動筐体の突出入の動作を自動で行えるようにする目的で、前記可動筐体にラックが設けられ、前記第２の筐体に前記ラックと噛合するピニオンギヤを有する駆動モータが設けられていて、前記可動筐体は前記駆動モータの駆動により突出入するようになっていることが好ましい。
【００１４】
【発明の実施の形態】
以下に、本発明の実施形態について図面を参照しながら説明する。図１は本発明の携帯電話機において本体が開かれた状態を示す外観図であって、同図（ａ）に側面図、同図（ｂ）に同図（ａ）のＡ矢視図、及び同図（ｃ）に同図（ａ）のＢ矢視図を示す。図２はその携帯電話機において本体が折り畳まれた状態で可動筐体が収納された状態を示す外観図であって、同図（ａ）に側面図、同図（ｂ）に同図（ａ）のＣ矢視図、及び同図（ｃ）に同図（ａ）のＤ矢視図を示す。更に図３はその携帯電話機において本体が折り畳まれた状態で可動筐体が突出した状態を示す外観図であって、同図（ａ）に側面図、同図（ｂ）に同図（ａ）のＥ矢視図、及び同図（ｃ）に同図（ａ）のＦ矢視図をそれぞれ示す。また、図４は可動筐体の突出入機構を示す第２の筐体の他端部の縦断面図である。なお、図１〜４中で同じ名称の部分には同一の符号を付している。
【００１５】
図１〜３に示すように、携帯電話機本体は、蓋を形成する第１の筐体１と基台を形成する第２の筐体２とからなり、互いの一端がヒンジ部３を介して連結されている。つまり、第１の筐体１が第２の筐体２に対してヒンジ部３を中心に回動して、相互が重なり合って互いの他端が一致するよう本体を折り畳んだ状態（図２、３参照）と、他方本体を開いた状態（図１参照）とを取り得る。
【００１６】
図１（ｂ）に示すように、第１の筐体１の内面（本体を折り畳んだときに第２の筐体２と接する面）、すなわち本体を開いた状態で通話する際に正面となる面において、中央部には液晶パネル等からなる主ディスプレイ１１（以下、「第２の表示部」と記すことがある）が、他端部には受信した音声を発する主スピーカ５１を内蔵した第１の受話部５が、ヒンジ部３の近傍には本体の開閉、すなわち本体を開いた状態と折り畳んだ状態を検知する開閉検出スイッチ８がそれぞれ配設されている。その主ディスプレイ１１には、日時、各種のメッセージ、着信時や発信時に相手先の電話番号や氏名、電子メールや画像の情報、或いは後述するカメラ部１４により撮影された画像等が表示される。
【００１７】
他方、第２の筐体２の内面（本体を折り畳んだときに第１の筐体１の内面と接する面）において、複数の入力キーからなる主操作部として、主オフフックキー２１、主オンフックキー２２、複数のテンキー２３、及びナビゲーションキー２４が配設されており、他端部にはその内面に向けて開放する開口２０が形成されている。この開口２０内には、詳細は後述するが、第２の筐体２の他端から突出入可能な可動筐体９が収納されており、この可動筐体９の内面にはユーザからの音声を受け取るマイクロホン６１を内蔵した送話部６が配設されている。
【００１８】
ここで、主オフフックキー２１は、第１の受話部５と送話部６とによる通話を開始させ、主オンフックキー２２はその通話を終了させ、ナビゲーションキー２４は、発信時に主ディスプレイ１１に表示させた相手先を検索したり、後述するカメラ部１４による撮影画像を表示させたり等する機能を有する。
【００１９】
また、図１（ｃ）、図２（ｂ）及び図３（ｂ）に示すように、第１の筐体１の背面、すなわち本体を開いた状態で通話する際に裏面となる面（本体を折り畳んだ状態で通話する際に正面となる面）には、液晶パネル等からなる補助ディスプレイ１２（以下、「第１の表示部」と記すことがある）、着信時に点滅して着信を報知する着信報知ＬＥＤ１３、及びデジタル画像を撮影するための撮像素子及びデジタルカメラ用レンズが内蔵されたカメラ部１４が配設されている。その補助ディスプレイ１２には、着信時や発信時に相手先の電話番号や氏名等が表示される。なお、第１の筐体１の他端には、突出入可能な棒状のアンテナ４が配設されている。
【００２０】
他方、第２の筐体２の背面、すなわち本体を開いた状態及び折り畳んだ状態で通話する際にともに裏面となる面には、図１（ｃ）、図２（ｃ）及び図３（ｃ）に示すように、補助スピーカ７１を内蔵した第２の受話部７が配設されている。この第２の受話部７は受信した音声を発する機能を有するとともに、着信時に着信音を発するリンガーとしての機能も兼ねる。
【００２１】
また、第２の筐体２の側面には、図１（ａ）、図２（ａ）、及び図３（ａ）に示すように、複数の入力キーからなる補助操作部として、補助オフフックキー２５、補助オンフックキー２６、及びアップ／ダウンキー２７が配設されている。従って、これらのキーは常に外部に表出しているので、本体を折り畳んだ状態でも操作が可能である。
【００２２】
ここで、補助オフフックキー２５は、後述する駆動モータ９３を駆動させて可動筐体９を突出させたり、第２の受話部７と送話部６とによる通話を開始させたりし、補助オンフックキー２６は、その通話を終了させたり、後述する駆動モータ９３を駆動させて可動筐体９を収納させたりし、アップ／ダウンキー２７は、発信時に補助ディスプレイ１２に表示させた相手先を検索したり、第２の受話部７から発せられる音量を調節したり等する機能を有する。
【００２３】
次に、可動筐体９の突出入機構の詳細について、図４に基づき説明する。可動筐体９の背面にはラック９１が設けられ、第２の筐体２（開口２０）内には回転軸にピニオンギヤ９２を有した駆動モータ９３が配設されていて、そのピニオンギヤ９２とラック９１とが噛合している。従って、駆動モータ９３の駆動によりピニオンギヤ９２が回転すると、これに応じてラック９１がスライドすることになり、これにより可動筐体９は第２の筐体２の他端から突出入し、収納された状態（図２参照）と、他方突出した状態（図３参照）とを取り得るようになる。ここで、可動筐体９が突出した状態では送話部６が外部に表出する位置となる。なお、マイクロホン６１は、第２の筐体２内に設けられた音声信号処理部を有する回路基板（不図示）にリード線６２を介して接続されていて、このリード線６２は可動筐体９の突出入移動を許容するよう可撓性を有している。
【００２４】
このような構成のもと、開閉検出スイッチ８により本体が折り畳まれた状態にあることが検知されている場合は、補助オフフックキー２５、補助オンフックキー２６、及びアップ／ダウンキー２７の操作が可能な状態に置かれ、補助オフフックキー２５の押下で駆動モータ９３が駆動して可動筐体９が突出し、送話部６と第２の受話部７とによる通話が開始される。その後補助オンフックキー２６の押下でその通話が終了するとともに駆動モータ９３が駆動して可動筐体９が収納される。
【００２５】
他方、開閉検出スイッチ８により本体が開かれた状態にあることが検知されると、主オフフックキー２１、主オンフックキー２２、テンキー２３及びナビゲーションキー２４の操作が可能な状態に切り替わるとともに、送話部６と第１の受話部５とによる通話が可能な状態に切り替わり、主オフフックキー２１の押下で通話が開始され、その後主オンフックキー２２の押下でその通話が終了する。なお、カメラ部１４による撮影も本体が開かれたこの状態で行われる。
【００２６】
次に、このような携帯電話機によって実際に通話が行われる様子について、以下に説明する。先ず図２に示すように、本体を折り畳んだ状態で着信があると、着信報知ＬＥＤ１３が点滅するとともに、第２の受話部７（補助スピーカ７１）がリンガーとして着信音を発して着信を報知する。これと併せて、補助ディスプレイ１２には相手先の電話番号や名前が表示され、ユーザは相手先を認識する。
【００２７】
ここで、ユーザが本体を保持して通話を行おうとする場合は、図１に示すように、本体を開く。これに応じて、開閉検出スイッチ８により本体が開かれた状態にあることが検知され、送話部６と第１の受話部５とによる通話が可能な状態に切り替わる。その際、第２の受話部７及び補助ディスプレイ２２は待機状態となる。そして、主オフフックキー２１の押下で回線が開いて通話が開始され、その後主オンフックキー２２の押下で回線が切断されて通話が終了する。
【００２８】
これに対して、ユーザがハンドフリーで通話を行おうとする場合は、本体を折り畳んだまま補助オフフックキー２５を押下することで、図３に示すように、可動筐体９とともに送話部６が第２の筐体２の他端から突出し、その送話部６と第２の受話部７とによる回線が開いて通話が開始される。その際、第２の受話部７はリンガー機能から受話機能に自動的に切り替わる。そして、ユーザは第２の筐体２の背面が机上等に接するように放置し、ユーザからの音声が送話部６で受け取られるとともに、受信した音声が第２の受話部７から発せられて机上等で反響することによって、通話が行われる。
【００２９】
このハンドフリー通話の際、携帯電話機周囲からの雑音等によって聞き取り難くなる場合は、アップ／ダウンキー２７を操作して第２の受話部７から発せられる音量を適宜調節する。その後、補助オンフックキー２６の押下で回線が切断されて通話が終了するとともに、可動筐体９が第２の筐体２に収納される。
【００３０】
また、本体を折り畳んだままで発信によるハンドフリー通話を行おうとする場合は、携帯電話機に登録されている相手先の電話番号や名前を補助ディスプレイ１２に表示させ、アップ／ダウンキー２７によりスクロールさせて検索して特定し、その後、補助オフフックキー２５を押下することで、上記した着信時の場合と同様に、相手先を確実に特定して通話が行われる。
【００３１】
このように、携帯電話機本体を開いた状態では勿論のこと、折り畳んだ状態のままで安定したハンドフリー通話が行える。しかも携帯時には、可動筐体９が収納されることにより、折り畳んだ第１の筐体１、第２の筐体２相互の他端が一致するため、コンパクト性や外形デザインの自由度が損なわれることはない。
【００３２】
なお、本発明は上記の実施形態に限定されず、本発明の趣旨を逸脱しない範囲で、種々の変更が可能である。例えば、補助オフフックキー２５、補助オンフックキー２６、及びアップ／ダウンキー２７は、上記の実施形態では第２の筐体２の側面に配設されているが、第１の筐体１の側面又は背面に配設されていても、本体を折り畳んだままでの操作に支障を来すことはない。また、可動筐体９の突出入機構についても上記の実施形態に限定されるわけではなく、ラック９１、ピニオンギヤ９２及び駆動モータ９３を排除し、その代替として、相互にスライド可能に係合する溝と突起を可動筐体９と第２の筐体２に設けて、手動で操作するようにしても構わない。
【００３３】
【発明の効果】
以上説明した通り本発明によれば、蓋を形成する第１の筐体と基台を形成する第２の筐体とが、互いの一端で折り畳み可能に連結され、折り畳んだ状態で互いの他端が一致する携帯電話機において、前記第２の筐体の他端にその内面に向けて開放する開口が形成され、この開口内に前記第２の筐体の他端から突出入可能に収納された可動筐体を備え、前記第１の筐体の内面及び前記第２の筐体の背面に第１の受話部及び第２の受話部がそれぞれ設けられ、前記可動筐体の内面に送話部が設けられており、前記第１、第２の筐体を開いた状態の通話では、前記可動筐体が収納されたまま前記送話部と前記第１の受話部とが働き、前記第１、第２の筐体を折り畳んだ状態の通話では、前記可動筐体が突出して前記送話部と前記第２の受話部とが働くようになっているので、第１、第２の筐体を折り畳んだまま第２の筐体の背面が机上等に接するように放置し、ユーザからの音声が送話部で受け取られるとともに、受信した音声が第２の受話部から発せられて机上等で反響することによって、ハンドフリーで通話が行える。しかも携帯時には、可動筐体が収納されることにより折り畳んだ第１、第２の筐体相互の他端が一致するため、コンパクト性や外形デザインの自由度が損なわれることはない。
【００３４】
ここで、前記第１の筐体の側面又は背面、或いは前記第２の筐体の側面にオフフックキー及びオンフックキーが設けられていて、このオフフックキー及びオンフックキーの操作により前記送話部と前記第２の受話部とによる通話が開始／終了するようになっていると、第１、第２の筐体を折り畳んだまま通話の開始や終了の操作が行え便利である。
【００３５】
更に、前記第１の筐体の側面又は背面、或いは前記第２の筐体の側面にアップ／ダウンキーが設けられていて、このアップ／ダウンキーの操作により前記第２の受話部の音量が調節されるようになっていると、第１、第２の筐体を折り畳んだまま第２の受話部から発せられる音量の調節操作が行えるため、携帯電話機周囲からの雑音の度合いに応じて容易に対処できる。
【００３６】
更に、前記第１の筐体の背面に第１の表示部が設けられていて、この第１の表示部には着信時に着信情報が表示されるようになっていると、第１、第２の筐体を折り畳んだまま着信時に相手先を特定でき好都合である。
【００３７】
また、前記第１の筐体の背面に第１の表示部が設けられていて、この第１の表示部には発信時に前記アップ／ダウンキーの操作により選択される発信情報が表示されるようになっていると、第１、第２の筐体を折り畳んだまま発信時に相手先を検索して特定できるため、確実な発信が行える。
【００３８】
また、前記第１の筐体の内面に第２の表示部が設けられ、前記第１の筐体の背面に光学系及び撮像素子からなるカメラ部が設けられていて、このカメラ部により撮影された画像が前記第２の表示部に表示されるようになっていると、ユーザが撮影した画像をそのまま通信情報として活用できるため、有用である。
【００３９】
また、前記可動筐体にラックが設けられ、前記第２の筐体に前記ラックと噛合するピニオンギヤを有する駆動モータが設けられていて、前記可動筐体は前記駆動モータの駆動により突出入するようになっていると、可動筐体の突出入の動作を自動で行うことが可能となる。
【図面の簡単な説明】
【図１】    本発明の携帯電話機において本体が開かれた状態を示す外観図である。
【図２】    本発明の携帯電話機において本体が折り畳まれた状態で可動筐体が収納された状態を示す外観図である。
【図３】    本発明の携帯電話機において本体が折り畳まれた状態で可動筐体が突出した状態を示す外観図である。
【図４】    可動筐体の突出入機構を示す第２の筐体の他端部の縦断面図である。
【符号の説明】
１    第１の筐体
２    第２の筐体
３    ヒンジ部
４    アンテナ
５    第１の受話部
６    送話部
７    第２の受話部
８    開閉検出スイッチ
９    可動筐体
１１    主ディスプレイ（第２の表示部）
１２    補助ディスプレイ（第１の表示部）
１３    着信報知ＬＥＤ
１４    カメラ部
２０    開口
２１    主オフフックキー
２２    主オンフックキー
２３    テンキー
２４    ナビゲーションキー
２５    補助オフフックキー
２６    補助オンフックキー
２７    アップ／ダウンキー
５１    主スピーカ
６１    マイクロホン
６２    リード線
７１    補助スピーカ
９１    ラック
９２    ピニオンギヤ
９３    駆動モータ
【図１】
0003907516.tif 000002
【図２】
0003907516.tif 000003
【図３】
0003907516.tif 000004
【図４】
0003907516.tif 000005